(57)【要約】【課題】装置の小型化が図れる撮像装置を提供すること。【解決手段】撮像素子１４に対し撮像光学系２を移動させて手振れ補正を行う撮像装置であって、撮像素子１４が取り付けられる配線基板６０の同一面側にジャイロセンサ５０を取り付けて構成される。これにより、ジャイロセンサ５０を撮像素子１４の裏面側に取り付ける場合と比べて撮像素子１４とジャイロセンサ５０を合わせた厚みを小さくすることができ、装置の小型化が図れる。【選択図】図１
2008236371.tif 000002
【特許請求の範囲】
【請求項１】
撮像素子に対し撮像光学系を移動させて手振れ補正を行う撮像装置において、
前記撮像素子は、外縁部に配線端子を形成しつつ、少なくとも外縁部に前記配線端子を形成しない領域を有する表面実装タイプの素子であり、
前記撮像素子が取り付けられる配線基板の同一面側に取り付けられ前記撮像素子の配線端子が形成されていない側に配置され、手振れ量を検出するジャイロセンサを備えること、
を特徴とする撮像装置。
【請求項２】
撮像光学系と撮像素子に対し撮像光学系を移動させて手振れ補正を行う撮像装置において、
前記撮像素子が取り付けられる配線基板の同一面側であって前記撮像素子の配線端子が形成されていない側に配置され、前記撮像光学系と前記撮像素子を相対的に移動させる圧電アクチュエータを備えること、
を特徴とする撮像装置。
【発明の詳細な説明】
【技術分野】
【０００１】
本発明は、撮影などに用いられる撮像装置に関するものである。
【背景技術】
【０００２】
従来、カメラ、ビデオカメラ、携帯電話に搭載されるカメラなどの撮像装置として、撮像素子と撮像光学系を相対移動させて手ぶれ補正を行うものが知られている（例えば、特許文献１）。このような撮像装置にあっては、手振れ量を検出するためにジャイロセンサが用いられる。その際、撮像素子を基準として手振れ量を検出するために、一般にジャイロセンサが撮像素子の裏側に配置される。
【特許文献１】特開２００４−１９４１５７号公報
【発明の開示】
【発明が解決しようとする課題】
【０００３】
しかしながら、このような撮像装置にあっては、撮像素子とジャイロセンサを合わせた厚みが大きくなってしまい、撮像装置を光軸方向に小さくすることが困難である。撮像装置が携帯電話に内蔵されるカメラである場合、撮像装置の小型化が要求され、特に光軸方向の厚みを小さくして薄型化が要求される。
【０００４】
そこで本発明は、このような技術課題を解決するためになされたものであって、装置の小型化が図れる撮像装置を提供することを目的とする。
【課題を解決するための手段】
【０００５】
すなわち本発明に係る撮像装置は、撮像素子に対し撮像光学系を移動させて手振れ補正を行う撮像装置において、前記撮像素子は、外縁部に配線端子を形成しつつ、少なくとも外縁部に前記配線端子を形成しない領域を有する表面実装タイプの素子であり、前記撮像素子が取り付けられる配線基板の同一面側に取り付けられ前記撮像素子の配線端子が形成されていない側に配置され、手振れ量を検出するジャイロセンサを備えることを特徴とする。
【０００６】
この発明によれば、撮像素子が取り付けられる配線基板の同一面側にジャイロセンサを取り付けることにより、ジャイロセンサを撮像素子の裏面側に取り付ける場合と比べて撮像素子とジャイロセンサを合わせた厚みを小さくすることができ、装置の小型化が図れる。また、その際、ジャイロセンサを撮像素子の配線端子のない側に配置することにより、ジャイロセンサを撮像素子の近傍位置に配置することができる。このため、撮像素子を基準とする手振れ検出を精度良く行うことができる。
【０００７】
また本発明に係る撮像装置は、撮像光学系と撮像素子に対し撮像光学系を移動させて手振れ補正を行う撮像装置において、前記撮像素子が取り付けられる配線基板の同一面側であって前記撮像素子の配線端子が形成されていない側に配置され、前記撮像光学系と前記撮像素子を相対的に移動させる圧電アクチュエータを備えることを特徴とする。
【０００８】
この発明によれば、撮像素子が取り付けられる配線基板の同一面側であって撮像素子の配線端子のない側に圧電アクチュエータを配置することにより、撮像素子と圧電アクチュエータを合わせた寸法を小さくすることができ、装置の小型化が図れる。
【発明の効果】
【０００９】
本発明によれば、装置の小型化、薄型化を図ることができる。
【発明を実施するための最良の形態】
【００１０】
以下、添付図面を参照して本発明の実施形態について説明する。なお、図面の説明において同一の要素には同一の符号を付し、重複する説明を省略する。
【００１１】
図１は、本発明の実施形態に係る撮像装置における撮像部及び手振れ補正機構の分解斜視図である。図２は、本実施形態に係る撮像装置における撮像素子、ジャイロセンサ及び圧電素子の配置を示した図である。
【００１２】
本実施形態に係る撮像装置は、撮像素子１４に対し撮像光学系２を移動させて手振れ補正を行う装置であって、静止画を撮影するカメラ、動画を撮影するビデオカメラ、携帯電話に搭載される撮像装置などに適用される。
【００１３】
まず、本実施形態に係る撮像装置の構成について説明する。図１に示すように、本実施形態に係る撮像装置は、被写体の像を取得するための撮像光学系２と撮像素子１４を備えている。撮像光学系２は、撮像素子１４に集光する光学系であり、撮影レンズを備えて構成されている。この撮像光学系２は、例えばホルダ２ａにレンズ（図示なし）を収容して構成される。撮像光学系２は、単体のレンズで構成してもよいし、複数のレンズによるレンズ群で構成してもよい。
【００１４】
撮像光学系２は、第二移動部材５に取り付けられており、撮像素子１４に対し光軸Ｏの方向（光軸方向）と直交する方向に相対移動可能に設けられている。第二移動部材５は、撮像素子１４を固定する撮像素子ホルダ１３に収容され、球体４で支持されることにより、撮像素子ホルダ１３及び撮像素子１４に対し光軸方向と直交する方向に相対移動可能となっている。このため、撮像光学系２は、第二移動部材５と共に撮像光学系２が移動することによって、撮像素子１４に対し光軸方向と直交する方向に相対移動することになる。
【００１５】
その際、撮像光学系２を第二移動部材５に対し光軸方向へ移動可能に取り付けることが好ましい。例えば、第二移動部材５に光軸方向へ向けた支持軸３を取り付け、その支持軸３に沿って撮像光学系２を移動可能に取り付ける。撮像光学系２を光軸方向へ移動させるアクチュエータ１０としては、圧電素子１０ａの伸縮により往復移動する駆動軸１０ｂを備えたものが用いられる。このアクチュエータ１０は、撮像光学系２を光軸方向へ移動させる第三アクチュエータとして機能するものである。圧電素子１０ａが第二移動部材５に取り付けられ、駆動軸１０ｂが撮像光学系２に摩擦係合部２２で摩擦係合される。駆動軸１０ｂの一端は、圧電素子１０ａに当接され、例えば接着剤を用いて接着されている。この駆動軸１０ｂは、長尺状の部材であり、例えば円柱状のものが用いられる。
【００１６】
摩擦係合構造としては、例えば、板バネにより駆動軸１０ｂを撮像光学系２のホルダ２ａに一定の押圧力で圧接した状態とし、駆動軸１０ｂが移動する際に一定の摩擦力を生じさせる構造とする。この摩擦力を超えるように駆動軸１０ｂが移動することにより、慣性により撮像光学系２の位置が維持される。一方、その摩擦力を超えないように逆方向へ駆動軸１０ｂが移動すると、撮像光学系２もその逆方向へ移動する。このような駆動軸１０ｂの往復移動を繰り返すことにより、第二移動部材５に対し相対的に撮像光学系２を移動させることができる。圧電素子１０ａには、その伸長速度と収縮速度を異ならせる電気信号が制御部（図示なし）から入力される。これにより、駆動軸１０ｂが異なる速度で往復移動し、撮像光学系２の移動制御を行うことができる。
【００１７】
このように、撮像光学系２を第二移動部材５に対し光軸方向へ移動可能に取り付けることにより、第二移動部材５に対し撮像光学系２のみを光軸方向へ移動させてフォーカシングを行うことができる。このため、手振れ補正機構全体を移動させてはフォーカシングを行う必要がない。従って、フォーカシングによって移動する部品が小さくなるため、手振れ補正機構を小さく構成することができる。
【００１８】
撮像素子１４は、撮影光学系２により結像された像を電気信号に変換する撮像手段であり、配線基板６０に設置されている。配線基板６０は、撮像素子ホルダ１３に固定して取り付けられている。この撮像素子１４としては、例えばＣＣＤセンサが用いられる。
【００１９】
撮像素子１４は、表面実装タイプのものであり、ワイヤボンディングにより配線基板６０に接続されている。撮像素子１４には、ボンディングパッド１４ａが複数形成されている。ボンディングパッド１４ａは、ワイヤ６１を接続するための配線端子であって、撮像素子１４の外縁部分に沿って配列して形成されている。撮像素子１４の外縁部分には、少なくともボンディングパッド１４ａが形成されていない領域が設けられている。例えば、撮像素子１４が矩形状である場合、四辺のうち少なくとも一辺はボンディングパッド１４ａを形成しない構造となっている。
【００２０】
配線基板６０上には、ジャイロセンサ５０が設置されている。ジャイロセンサ５０は、撮像装置の手振れ量を検出する手振れ検出手段として機能するものであり、光軸方向に対し直交するＸ方向、Ｙ方向の二方向の手振れ量を検出できるものが用いられる。例えば、Ｘ方向、Ｙ方向の手振れ量を検出する二つのセンサ部を一つのパッケージ内に収容してパッケージ化したものを用いることが好ましい。
【００２１】
このジャイロセンサ５０は、撮像素子１４が取り付けられる配線基板６０の同一面側に取り付けられ、撮像素子１４のボンディングパッド１４ａが形成されていない側に配置されている。
【００２２】
撮像素子１４が取り付けられる配線基板６０の同一面側にジャイロセンサ５０を取り付けることにより、ジャイロセンサ５０を撮像素子１４の裏面側に取り付ける場合と比べて撮像素子１４とジャイロセンサ５０を合わせた厚みを小さくすることができ、撮像装置の小型化、薄型化が図れる。
【００２３】
また、ジャイロセンサ５０を撮像素子１４のボンディングパッド１４ａが形成されていない側に配置することにより、ジャイロセンサ５０を撮像素子１４の近傍位置に配置することができる。このため、撮像素子１４を基準とする手振れ状態を精度良く検出することができる。
【００２４】
アクチュエータ１０は、撮像素子１４が取り付けられる配線基板６０の同一面側であって撮像素子１４のボンディングパッド１４ａが形成されていない側に配置されていることが好ましい。この場合、撮像素子１４とアクチュエータ１０を合わせた寸法を小さくすることができ、撮像装置の小型化が図れる。
【００２５】
本実施形態に係る撮像装置は、第一アクチュエータ８、第二アクチュエータ６、第一移動部材１１を備えている。第一アクチュエータ８は、光軸方向と直交する第一方向（ピッチ方向）Ｘに撮像光学系２と撮像素子１４を相対移動させるアクチュエータである。この第一アクチュエータ８は、例えば、圧電素子８ａの伸縮により往復移動する駆動軸８ｂを備えたものが用いられる。駆動軸８ｂは、第一方向Ｘに向けて配置されている。圧電素子８ａは、撮像素子１４が固定される撮像素子ホルダ１３に取り付けられている。駆動軸８ｂは、第一移動部材１１に摩擦係合部２１で摩擦係合されている。駆動軸８ｂの一端は、圧電素子８ａに当接され、例えば接着剤を用いて接着されている。この駆動軸８ｂは、長尺状の部材であり、例えば円柱状のものが用いられる。
【００２６】
摩擦係合構造としては、例えば、板バネにより駆動軸８ｂを第一移動部材１１に一定の押圧力で圧接された状態とし、駆動軸８ｂが移動する際に一定の摩擦力を生じさせる構造とする。この摩擦力を超えるように駆動軸８ｂが移動することにより、慣性により第一移動部材１１の位置が維持される。一方、その摩擦力を超えないように逆方向へ駆動軸８ｂが移動すると、第一移動部材１１もその逆方向へ移動する。このような駆動軸８ｂの往復移動を繰り返すことにより、撮像素子１４に対し第一移動部材１１を第一方向Ｘに沿って移動させることができ、撮像素子１４に対し相対的に撮像光学系２を第一方向Ｘに移動させることができる。圧電素子８ａには、その伸長速度と収縮速度を異ならせる電気信号が第一制御部３０（図３参照）から入力される。これにより、駆動軸８ｂが異なる速度で往復移動し、撮像光学系２の移動制御を行うことができる。
【００２７】
なお、第一アクチュエータ８は、圧電素子８ａを第一移動部材１１側に取り付け、駆動軸８ｂを撮像素子ホルダ１３に摩擦係合させて構成する場合もある。
【００２８】
第二アクチュエータ６は、光軸方向と直交する第二方向（ヨー方向）Ｙに撮像光学系２と撮像素子１４を相対移動させるアクチュエータである。この第二アクチュエータ６と第一アクチュエータ８は、撮像光学系２と撮像素子１４を相対移動させる駆動手段として機能するものである。  
【００２９】
第二方向Ｙは、光軸方向と直交し第一方向Ｘと交差する方向であり、例えば第一方向Ｘと直交する方向に設定される。この第二アクチュエータ６は、例えば、圧電素子６ａの伸縮により往復移動する駆動軸６ｂを備えたものが用いられる。駆動軸６ｂは、第二方向Ｙに向けて配置されている。圧電素子６ａは、第二移動部材５に取り付けられている。駆動軸６ｂは、第一移動部材１１に摩擦係合部２０で摩擦係合されている。駆動軸６ｂの一端は、圧電素子６ａに当接され、例えば接着剤を用いて接着されている。この駆動軸６ｂは、長尺状の部材であり、例えば円柱状のものが用いられる。
【００３０】
摩擦係合構造としては、例えば、板バネにより駆動軸６ｂを第一移動部材１１に一定の押圧力で圧接された状態とし、駆動軸６ｂが移動する際に一定の摩擦力を生じさせる構造とする。この摩擦力を超えるように駆動軸６ｂが一方向に移動することにより、慣性により第二移動部材５の位置が維持される。一方、その摩擦力を超えないように逆方向へ駆動軸６ｂが移動しようとすると、駆動軸６ｂは摩擦力によって静止したまま、第二移動部材５が一方向へ移動する。このような駆動軸６ｂの往復移動を繰り返すことにより、撮像素子１４に対し第二移動部材５を第二方向Ｙに沿って移動させることができ、撮像素子１４に対し相対的に撮像光学系２を第二方向Ｙに移動させることができる。圧電素子６ａには、その伸長速度と収縮速度を異ならせる電気信号が第一制御部３０（図３参照）から入力される。これにより、駆動軸６ｂが異なる速度で往復移動し、撮像光学系２の移動制御を行うことができる。
【００３１】
第一移動部材１１には、上述した摩擦係合によって第二アクチュエータ６が取り付けられている。このため、第一アクチュエータ８の作動により第一移動部材１１が第一方向Ｘに移動することによって第二アクチュエータ６も第一方向Ｘへ移動することとなる。
【００３２】
なお、第二アクチュエータ６は、圧電素子６ａを第一移動部材１１側に取り付け、駆動軸６ｂを第二移動部材５に摩擦係合させて構成する場合もある。
【００３３】
撮像装置には、位置検出用磁石９、ホール素子１５が設けられている。位置検出用磁石９は、第二移動部材５に取り付けられた磁石であり、ホール素子１５で検出できるだけの磁界を発生するものであれば足りる。ホール素子１５は、位置検出用磁石９から発生する磁界の状態に基づいて撮像素子１４と撮像光学系２の光軸方向と直交する方向に対する相対位置を検出する磁気センサであり、例えば、基板１７に取り付けられる。基板１７は、撮像素子ホルダ１３に取り付けられる配線基板であり、例えばＬ字形に屈曲されて用いられる。この基板１７には、圧電素子６ａ、８ａ、１０ａのリード線がそれぞれ基板１７に取り付けられている。
【００３４】
撮像装置には、フォトインタラプタ１６が設けられている。フォトインタラプタ１６は、撮像光学系２の位置検出を行う位置検出センサである。フォトインタラプタ１６は、基板１７に取り付けられ、撮像光学系２の近傍位置に配置される。フォトインタラプタ１６は、発光部と受光部を備え、発光部と受光部の間を通過する移動片２ｂの位置検出を通じて、撮像光学系２の光軸方向の位置を検出する。移動片２ｂは、撮像光学系２のホルダ２ａに形成され、撮像光学系２と一体となって移動する部材である。
【００３５】
撮像装置は、上カバー１を備えている。上カバー１は、撮像部及び手振れ補正機構を収容する撮像素子ホルダ１３の開口部分を被うカバーであり、被写体像を入射するための開口部１ａを形成している。
【００３６】
第一移動部材１１は、第一支持軸１２により第一方向Ｘに沿って移動可能に支持されている。第一支持軸１２は、第一方向Ｘに向けて配置される軸部材であって、撮像素子ホルダ１３に取り付けられている。この第一支持軸１２は、第一移動部材１１の軸受け部１１ａを貫通して設けられている。これにより、第一移動部材１１は、第一支持軸１２によって撮像素子１４に対し第一方向Ｘのみに移動するように支持されている。
【００３７】
第一支持軸１２は、撮像光学系２に対し第一アクチュエータ８側に配置されている。すなわち、第一支持軸１２は、撮像光学系２を挟んで第一アクチュエータ８の反対側に配置されているのではなく、第一アクチュエータ８側へ配置されている。このため、第一アクチュエータ８による移動機構と第一支持軸１２による支持機構をまとめてコンパクトに構成することができる。
【００３８】
第二移動部材５は、第二支持軸７により第二方向Ｙに沿って移動可能に支持されている。第二支持軸７は、第二方向Ｙに向けて配置される軸部材であって、第二移動部材５に取り付けられている。この第二支持軸７は、第一移動部材１１の軸受け部１１ｂを貫通して設けられている。これにより、第二移動部材５は、第二支持軸７によって第一移動部材１１に対し第二方向Ｙのみに移動するように支持されている。
【００３９】
第二支持軸７は、撮像光学系２に対し第二アクチュエータ６側に配置されている。すなわち、第二支持軸７は、撮像光学系２を挟んで第二アクチュエータ６の反対側に配置されているのではなく、第二アクチュエータ６側へ配置されている。このため、第二アクチュエータ６による移動機構と第二支持軸７による支持機構をまとめてコンパクトに構成することができる。
【００４０】
図３は、本実施形態に係る撮像装置の電気的構成を示すブロック図である。図４は、本実施形態に係る撮像装置における手ぶれ補正回路の概要図である。
【００４１】
図３に示すように、本実施形態に係る撮像装置は、第一制御部３０、ジャイロセンサ５０及び第二制御部４０を備えている。第一制御部３０は、撮像光学系２と撮像素子１４の光軸方向と直交する方向における相対移動を制御して手ぶれ補正を行う制御手段として機能するものである。この第一制御部３０は、例えばＣＰＵ、ドライバチップを内蔵するＬＳＩ（Large Scale Integration）などにより構成される。ジャイロセンサ５０は、手ぶれ量を検出する手ぶれ検出センサとして機能するものである。
【００４２】
第一制御部３０は、ジャイロセンサ５０の検出信号Ｓ１ｘとホール素子１５の検出信号Ｓ２ｘを入力し、第一アクチュエータ８に駆動制御信号Ｓｘを出力する。ジャイロセンサ５０の検出信号Ｓ１ｘは、Ｘ方向（第一方向Ｘ）の手振れ量に関する検出信号である。ホール素子１５の検出信号Ｓ２ｘは、Ｘ方向における撮像素子１４と撮像光学系２の相対位置に関する検出信号である。
【００４３】
また、第一制御部３０は、ジャイロセンサ５０の検出信号Ｓ１ｙとホール素子１５の検出信号Ｓ２ｙを入力し、第二アクチュエータ６に駆動制御信号Ｓｙを出力する。ジャイロセンサ５０の検出信号Ｓ１ｙは、Ｙ方向の手振れ量に関する検出信号である。ホール素子１５の検出信号Ｓ２ｙは、Ｙ方向（第二方向Ｙ）における撮像素子１４と撮像光学系２の相対位置に関する検出信号である。
【００４４】
例えば、図４に示すように、第一制御部３０内には、差動増幅器３１を用いた手ぶれ補正回路が設けられている。この手ぶれ補正回路は、Ｘ方向の手振れ補正を行うものとＹ方向の手振れ補正を行うものの二つが設けられる。Ｘ方向の手振れ補正回路は、ジャイロセンサ５０の検出信号Ｓ１ｘとホール素子１５の検出信号Ｓ２ｘの差分に応じて第一アクチュエータ８に駆動制御信号Ｓｘを出力する。Ｙ方向の手振れ補正回路は、ジャイロセンサ５０の検出信号Ｓ１ｙとホール素子１５の検出信号Ｓ２ｙの差分に応じて第二アクチュエータ６に駆動制御信号Ｓｙを出力する。これにより、手ぶれ量と撮像光学系２と撮像素子１４の相対移動量の差分を減少させて、手ぶれ補正が行われることとなる。
【００４５】
ジャイロセンサ５０の検出信号Ｓ１ｘ、Ｓ１ｙは、積分回路３２により積分処理して差動増幅器３１に入力することが好ましい。また、ホール素子１５の検出信号Ｓ２ｘ、Ｓ２ｙは、アンプ回路３３により増幅処理してから差動増幅器３１に入力することが好ましい。
【００４６】
図３において、第二制御部４０は、撮像光学系２の光軸方向へ移動を制御する制御手段として機能するものである。この第二制御部４０は、例えばオートフォーカス用ＩＣやマイコンなどにより構成される。第二制御部４０は、図示しない測距装置により被写体までの距離情報を取得し、その距離情報とフォトインタラプタ１６の検出信号に基づいてアクチュエータ１０に駆動制御信号を出力し、撮像光学系２を移動制御する。
【００４７】
次に、本実施形態に係る撮像装置の手ぶれ補正時の動作について説明する。
【００４８】
図３において、撮像装置を用いて撮影を行う際に手振れが生じている場合には、ジャイロセンサ５０が手振れ量を検出し、手振れの検出信号Ｓ１ｘ、Ｓ１ｙを第一制御部３０に出力する。第一制御部３０は、ジャイロセンサ５０の検出信号Ｓ１ｘ、Ｓ１ｙとホール素子１５の検出信号Ｓ２ｘ、Ｓ２ｙに基づいて撮像素子１４に撮像される画像がぶれないように第一アクチュエータ８及び第二アクチュエータ６に対し駆動制御信号を出力する。
【００４９】
そして、第一アクチュエータ８及び第二アクチュエータ６において、圧電素子８ａ、６ａの伸長速度と収縮速度が異なるように作動し、駆動軸８ｂ、６ｂが繰り返し往復移動する。第一アクチュエータ８の駆動により撮像素子１４に対して第一移動部材１１が第一方向Ｘへ移動し、第二アクチュエータ６の駆動により第一移動部材１１に対し第二移動部材５と共に撮像光学系２が第二方向Ｙへ移動し、撮像素子１４と撮像光学系２が相対的に移動する。これにより、撮像装置に手振れが生じても、撮像素子１４と撮像光学系２が相対的に移動制御され、撮像素子１４の撮像画像の手振れが抑制される。
【００５０】
以上のように、本実施形態に係る撮像装置によれば、撮像素子１４が取り付けられる配線基板６０の同一面側にジャイロセンサ５０を取り付けることにより、ジャイロセンサ５０を撮像素子１４の裏面側に取り付ける場合と比べて撮像素子１４とジャイロセンサ５０を合わせた厚みを小さくすることができ、撮像装置の小型化が図れる。また、その際、ジャイロセンサ５０を撮像素子１４の配線端子のない側に配置することにより、ジャイロセンサ５０を撮像素子１４の近傍位置に配置することができる。このため、撮像素子１４を基準とした手振れ検出を精度良く行うことができる。
【００５１】
また、撮像素子１４が取り付けられる配線基板６０の同一面側であって撮像素子１４の配線端子のない側に圧電アクチュエータを配置することにより、撮像素子１４と圧電アクチュエータを合わせた寸法を小さくすることができ、撮像装置の小型化が図れる。
【００５２】
また、本実施形態に係る撮像装置は、光軸方向の寸法を小さくでき薄型化できるため、携帯電話の撮像装置として最適である。
【００５３】
なお、上述した実施形態は本発明に係る撮像装置の一例を示すものである。本発明に係る撮像装置は、これらの実施形態に係る撮像装置に限られるものではなく、各請求項に記載した要旨を変更しない範囲で、実施形態に係る撮像装置を変形し、又は他のものに適用したものであってもよい。例えば、本実施形態では、ジャイロセンサ５０及びアクチュエータ１０を撮像素子１４のボンディングパッド１４ａが形成されていない側の側方に配置する場合について説明したが、図５に示すようにジャイロセンサ５０及びアクチュエータ１０を撮像素子１４のボンディングパッド１４ａが形成されていない領域の側方に配置してもよい。例えば、撮像素子１４のボンディングパッド１４ａが形成されている一辺の側方であってもボンディングパッド１４ａが形成されていない領域の側方であれば、ジャイロセンサ５０及びアクチュエータ１０を撮像素子１４の近傍に配置することができ、撮像素子１４とジャイロセンサ５０及びアクチュエータ１０を合わせた寸法を小さくすることができる。
【００５４】
例えば、本実施形態では、撮像装置のアクチュエータとして圧電素子を用いたものを採用しているが、モータなどの他の駆動部品を用いたものを採用してもよい。
【図面の簡単な説明】
【００５５】
【図１】本発明の実施形態に係る撮像装置の分解斜視図である。
【図２】図１の撮像装置の撮像素子、ジャイロセンサの配置を示す図である。
【図３】図１の撮像装置における電気的構成を示すブロック図である。
【図４】図１の撮像装置における手ぶれ補正回路の概要図である。
【図５】図１の撮像装置における変形例の説明図である。
【符号の説明】
【００５６】
１…上カバー、２…撮像光学系、３…支持軸、４…ボール、５…第二移動部材、６…第二アクチュエータ、７…第二支持軸、８…第一アクチュエータ、９…位置検出用磁石、１０…アクチュエータ、１１…第一移動部材、１２…第一支持軸、１３…撮像素子ホルダ、１４…撮像素子、１４ａ…ボンディングパッド、１５…ホール素子、１６…フォトインタラプタ、１７…基板、２０、２１、２２…摩擦係合部、３０…第一制御部、４０…第二制御部、５０…ジャイロセンサ、６０…配線基板。
【図１】
2008236371.tif 000003
【図２】
2008236371.tif 000004
【図３】
2008236371.tif 000005
【図４】
2008236371.tif 000006
【図５】
2008236371.tif 000007